(57)【特許請求の範囲】
【請求項１】
挿入口に挿入されたディスクを本体の内側で上方または下方に案内するための案内機構を備え、上方または下方に案内されたディスクを、前記案内機構とローディングローラとの協働により、本体の内側の異なるローディング経路に沿ってローディングして再生するディスクプレーヤにおいて、
前記案内機構が、前後に並列に配置され、それぞれが前記挿入口の横方向に延びて横方向の高さを変化させたガイドバーを備え、
それぞれのガイドバーと前記ローディングローラとの協働により、小径のディスクが挿入されたときには、前記ローディングローラと各ガイドバーの低い突部との間に挟持させて本体の内側の高所に位置する第１のローディング経路に沿ってローディングし、大径のディスクが挿入されたときには、前記ローディングローラと各ガイドバーの高い突部との間に挟持させて本体の内側の低所に位置する第２のローディング経路に沿ってローディングし、
前記第２のローディング経路に、前記大径のディスクの先端を下向きに案内するガイド部材を設けるとともに、前記ローディング経路の各終端部にはディスク当接部を配置したことを特徴とするディスクプレーヤ。
【請求項２】
前記ディスク当接部が板部材で形成され、
該板部材の両縁部が前記ローディング経路の各終端部に臨んでいることを特徴とする請求項１に記載のディスクプレーヤ。
【請求項３】
前記ガイドバーを前記本体のシャーシの内面に一体に形成したことを特徴とする請求項１に記載のディスクプレーヤ。
【請求項４】
前記本体の挿入口には径が異なるディスクを挿入自在であり、
前記ガイド部材は、挿入した大径のディスクの外周に当接可能としたことを特徴とする請求項１に記載のディスクプレーヤ。
【請求項５】
前記ガイド部材がディスクの外周をガイドしつつ、安定したローディングを実行することを特徴とする請求項１に記載のディスクプレーヤ。
【請求項６】
前記ガイド部材の自由端の下面には奥下がりのテーパ面が形成され、前記大径のディスクが挿入されると、前記テーパ面に沿って該ディスクの先端が下方に向けられ、トリガープレートの一方の爪部を交わし、前記ディスクがローディング経路の終端部に到達すると、ディスク当接部に当接し、前記トリガープレートの他方の爪部を押動し、これをトリガーにして、当該ディスクのクランプ動作を実行することを特徴とする請求項１に記載のディスクプレーヤ。
【発明の詳細な説明】
【技術分野】
【０００１】
本発明は、車両に搭載されてＣＤ（コンパクトディスク）、ＤＶＤ（デジタル・バーサタイル・ディスク）等の記録媒体ディスクの情報を再生するディスクプレーヤに関する。
【背景技術】
【０００２】
一般に、車両に搭載されるＣＤ、ＤＶＤプレーヤ等の従来のディスクプレーヤでは、例えば８ｃｍディスク、１２ｃｍディスク等、大きさの異なるディスクを挿入口から吸い込んで、本体内に引き込まれた当該ディスクをターンテーブルにクランプさせチャッキングして再生している（例えば、特許文献１参照）。
【特許文献１】ＷＯ／２００１／０９１１１９号
【発明の開示】
【発明が解決しようとする課題】
【０００３】
ところで、従来の構成では、例えば８ｃｍディスクが挿入された場合も、１２ｃｍディスクが挿入された場合も、本体の内側に形成された同一のローディング経路に沿ってローディングする構成が採用されている。そのため、このローディング経路の終端部に、径の異なるディスクを保持可能にした複雑な機構が必要になり、これにより装置が大型化し、特に装置の厚さ方向の寸法が大きくなるといった問題があった。
また、近年、形状は同じでも材質等が異なる種々のディスクが提案されているが、これらディスクを同一のローディング経路に沿ってローディングした場合、ディスクの種類によっては該ディスクに傷等がつく恐れがあった。【０００４】
そこで、本発明の目的は、上述した従来の技術が有する課題を解消し、ローディング経路の終端部に、径の異なるディスクを保持するための複雑な機構を不要とし、装置の薄型化を実現したディスクプレーヤを提供することにある。また、材質等が異なる種々のディスクをローディングする場合でも、これらディスクに傷等がつかないディスクプレーヤを提供することにある。
【課題を解決するための手段】
【０００５】
本発明は、挿入口に挿入されたディスクを本体の内側で上方または下方に案内するための案内機構を備え、上方または下方に案内されたディスクを、前記案内機構とローディングローラとの協働により、本体の内側の異なるローディング経路に沿ってローディングして再生するディスクプレーヤにおいて、前記案内機構が、前後に並列に配置され、それぞれが前記挿入口の横方向に延びて横方向の高さを変化させたガイドバーを備え、それぞれのガイドバーと前記ローディングローラとの協働により、小径のディスクが挿入されたときには、前記ローディングローラと各ガイドバーの低い突部との間に挟持させて本体の内側の高所に位置する第１のローディング経路に沿ってローディングし、大径のディスクが挿入されたときには、前記ローディングローラと各ガイドバーの高い突部との間に挟持させて本体の内側の低所に位置する第２のローディング経路に沿ってローディングし、前記第２のローディング経路に、前記大径のディスクの先端を下向きの案内する奥下がりのテーパ面が形成されたガイド部材を設けるとともに、前記ローディング経路の各終端部にはディスク当接部を配置したことを特徴とする。
【０００６】
この構成では、挿入口に挿入されたディスクが、案内機構を介して、上方または下方に案内され、上方または下方に案内されたディスクが、本体の内側の異なるローディング経路に沿ってローディングされる。
従って、ローディング経路の終端部に、径の異なるディスクを保持可能にした複雑な機構が不要になり、その分、装置を小型化することができ、特に装置の厚さ方向の寸法を小さくできる。また、材質等が異なる種々のディスクをローディング可能にした場合、各々のローディング経路に個別の工夫を施せば、これらディスクに傷等がつかないディスクプレーヤが提供される。【０００７】
この場合において、前記ディスク当接部が板部材で形成され、該板部材の両縁部が前記ローディング経路の各終端部に臨んでいてもよい。前記ガイドバーを前記本体のシャーシの内面に一体に形成してもよい。前記ディスクをローディングローラと前記ガイドバーとにより挟持してローディングするようにしてもよい。
【０００８】
前記本体の挿入口には径が異なるディスクを挿入自在であり、前記ガイド部材は、挿入した大径のディスクの外周に当接可能に構成してもよい。また、前記ガイド部材がディスクの外周をガイドしつつ、安定したローディングを実行してもよい。前記ガイド部材の自由端の下面には奥下がりのテーパ面が形成され、前記大径のディスクが挿入されると、前記テーパ面に沿って該ディスクの先端が下方に向けられ、トリガープレートの一方の爪部を交わし、前記ディスクがローディング経路の終端部に到達すると、ディスク当接部に当接し、前記トリガープレートの他方の爪部を押動し、これをトリガーにして、当該ディスクのクランプ動作を実行してもよい。
【発明の効果】
【０００９】
本発明では、挿入口に挿入されたディスクが、上方または下方に案内され、上方または下方に案内されたディスクが、本体の内側の異なるローディング経路に沿ってローディングされるため、従来のように、ローディング経路の終端部に径の異なるディスクを保持可能にした複雑な機構を設ける必要がなくなり、装置を小型化でき、特に装置の厚さ方向の寸法を小さくできる。
【図面の簡単な説明】
【００１０】
【図１】本発明に係るディスクプレーヤの一実施の形態を示す斜視図である。
【図２】アッパーシャーシを取り外した斜視図である。
【図３】ロアーシャーシの斜視図である。
【図４】ロアーシャーシにドライブユニットを取り付けた左方視の斜視図である。
【図５】ロアーシャーシにドライブユニットを取り付けた右方視の斜視図である。
【図６】一対のゲート部材を示す斜視図である。
【図７】１２ｃｍディスクで一対のゲート部材を開いた状態を示す斜視図である。
【図８】８ｃｍディスクで一対のゲート部材を開いた状態を示す斜視図である。
【図９】Ａはアッパーシャーシを裏側から見た斜視図、Ｂは縦孔を示す図である。
【図１０】８ｃｍディスクを挿入した場合の断面図である。
【図１１】同じく斜視図である。
【図１２】１２ｃｍディスクを挿入した場合の断面図である。
【図１３】同じく斜視図である。
【符号の説明】
【００１１】
１  本体
３  シャーシ
５  ロアーシャーシ
７  アッパーシャーシ
２３  挿入口
５９  ゲート部材
６２，６３  ターンプレート
６４，６５  ピン（支持部材）
６７，６８  ゲートピン
７３  連結プレート
７４，７５  ガイド孔
７６，７７  案内部
８１，８２  ガイドバー
８３，８４  ディスク当接部
１００，２００  ディスク
ＲＫ１，ＲＫ２  ローディング経路
【発明を実施するための最良の形態】
【００１２】
以下、本発明の一実施の形態を、図面に基づき説明する。
図１は、本実施の形態に係るディスクプレーヤの外観を示す斜視図である。このディスクプレーヤには、ＣＤ、ＤＶＤ等の例えば直径８ｃｍや、直径１２ｃｍ等の大きさの異なる記録媒体ディスクが引き込まれて、このディスクに記録された情報が再生される。１は本体を示し、この本体１は板金製のシャーシ３を備えている。このシャーシ３はロアーシャーシ５と、このロアーシャーシ５の上方を覆うアッパーシャーシ７とを備え、その内側には、図１では図示を省略したが、ディスクをローディングするためのローディングメカニズム、それをクランプするためのクランパメカニズム、それをドライブするためのドライブメカニズム等が設けられている。【００１３】
図２は、アッパーシャーシ７を取り外した斜視図であり、図３は、ロアーシャーシ５の斜視図であり、図４は、ロアーシャーシ５にドライブユニット９を取り付けた左方視の斜視図であり、図５は、同じくロアーシャーシ５にドライブユニット９を取り付けた右方視の斜視図である。【００１４】
上記ロアーシャーシ５は、図３に示すように、枠状に形成され、このロアーシャーシ５には、ダンパ及びばねを備えた３つの防振構造体１１が取り付けられ、この防振構造体１１の上に、図２に示すように、クランパメカやドライブメカが一体化されたドライブユニット９が載置されて、フローティング支持されている。このドライブユニット９は、図４及び図５に示すように、ベースプレート１３と、このベースプレート１３の後端部の両側にヒンジ１５で連結され、先端１７Ａを閉じる方向にばね付勢したスイングプレート１７とを備えて構成されている。このスイングプレート１７の先端１７Ａには回転板１９が支持され、この回転板１９に対向するマグネット入りのターンテーブル２１が、ベースプレート１３に支持されている。そして、後述するように、ディスクが挿入されて、スイングプレート１７が閉じると、先端１７Ａの回転板１９とマグネット入りのターンテーブル２１とで挟持されてディスクが回転可能になる。【００１５】
図１に示すように、本体１の前面には横長のディスクの挿入口２３が形成され、この挿入口２３の奥には、図２に示すように、ロアーシャーシ５の前部のモータ２４で駆動されるローディングローラ２５が設けられている。
このローディングローラ２５は、ディスクが検知されると、モータ２４により駆動されて、当該ディスクを本体１内に引き込む。このローディングローラ２５は、ローラ支持板２７に支持され、このローラ支持板２７の基部は、ヒンジピン２８によりロアーシャーシ５に連結されている。よって、このローディングローラ２５は、ローラ支持板２７の揺動により、その高さ位置を変位させる。【００１６】
ドライブユニット９の上面の左後部には支持ピン３０を介してトリガープレート３１が揺動自在に支持されている。このトリガープレート３１は、ばね３１Ｓにより、反時計方向に付勢されており、その一端３１Ａには、ドライブユニット９の内方に折り曲げられた、２つの爪部３２，３３が各々一体に形成されている。一方の爪部３２には、引き込まれた８ｃｍディスクが当接可能であり、他方の爪部３３には、引き込まれた１２ｃｍディスクが当接可能である。トリガープレート３１の他端３１Ｂは、ドライブユニット９の外側に延出し、ドライブユニット９の外壁に沿って下方に折り曲げられている。この他端３１Ｂは、ロアーシャーシ５に配置されたトリガー３５の後面３５Ｋに当接する。そして、ディスクが本体１に引き込まれ、爪部３２，３３のいずれかに当接し、トリガープレート３１が反時計方向に回動すると、このトリガープレート３１が、トリガー３５を前進（矢印Ｘの方向）させる。このトリガー３５は、図４に示すように、ばね３４により、通常時、他端３１Ｂ側（矢印Ｙの方向）に付勢されている。【００１７】
このトリガー３５の一部は、ロアーシャーシ５の底部を前方に延出し、この延出部の上面にはトリガーラックギア３５Ａが一体に形成されている。このトリガーラックギア３５Ａの前方には、ロアーシャーシ５の側板５Ａに支持されたファイナルギア３７（図３参照）が配置されている。このファイナルギア３７は、通常時にトリガーラックギア３５Ａに噛み合わない位置に支持されており、トリガープレート３１が回動して、トリガー３５が前進したときにのみ、トリガーラックギア３５Ａに噛み合う。ファイナルギア３７は、図２に示すように、複数のギアからなるギア輪列３８を介して、ロアーシャーシ５の前部の上記モータ２４に連結されており、モータ２４の駆動時に、トリガーラックギア３５Ａとファイナルギア３７とが一旦噛み合うと、それ以後は、ファイナルギア３７、モータ２４の駆動力でトリガー３５が前進する。【００１８】
このトリガー３５には、図４に示すように、トリガーカム４１が一体に連結されている。このトリガーカム４１は、ギア輪列３８の内側を当該ギア輪列３８と平行に延出し、その中程の上面には前方が徐々に、階段状に高くなるカム面４１Ａが形成され、その先端部にはローディングローラ２５の駆動軸２５Ａ（図２参照）を案内する前上がりの階段状の傾斜溝４１Ｂが形成されている。カム面４１Ａには、ドライブユニット９のスイングプレート１７の一部１７Ｂが当接している。
トリガー３５がファイナルギア３７に噛み合い、ストロークエンドに移動した後、トリガーカム４１を押し出し、トリガーカム４１のラックがファイナルギア３７と噛み合い、トリガーカム４１が前進（矢印Ｘの方向）する。【００１９】
上記トリガーカム４１が前進（矢印Ｘの方向）すると、上記一部１７Ｂが当接しているカム面４１Ａが徐々に低くなって、スイングプレート１７が、ばね力で閉じる方向に揺動し、さらに前進してトリガーカム４１が前進限界の位置に移動すると、一部１７Ｂがカム面４１Ａから完全に離れ、スイングプレート１７の先端の回転板１９と、ターンテーブル２１とによるディスクのクランプが完了する。それと同時に、スイングプレート１７の一部１７Ｂとカム面４１Ａとの係合解除によって、ドライブユニット９が、３つの防振構造体１１を介して完全にフローティング支持される。また、同時に、ローディングローラ２５の駆動軸２５Ａが、傾斜溝４１Ｂに沿って低い位置に移動し、ローラ支持板２７の揺動により、ローディングローラ２５が低く変位し、このローディングローラ２５が、クランプ時のディスクの下面から離れる。この状態において、ターンテーブル２１を回転させてディスクの再生が行われる。【００２０】
上記モータ２４を逆回転させると、ギア輪列３８、ファイナルギア３７及びトリガーラックギア３５Ａを介して、トリガー３５及びトリガーカム４１が後退（矢印Ｙの方向）する。それに伴って、上記一部１７Ｂが当接しているカム面４１Ａが徐々に高くなり、スイングプレート１７が、ばね力に抗して押し上げられて開く方向に揺動する。さらに後退してトリガーカム４１が後退限界の位置に移動すると、一部１７Ｂがカム面４１Ａの最も高い位置に乗り上げて、スイングプレート１７の先端の回転板１９と、ターンテーブル２１との間にディスク挿入用の隙間を形成する。【００２１】
それと同時に、ローディングローラ２５の駆動軸２５Ａが、傾斜溝４１Ｂに沿って徐々に高い位置に移動し、後退限界の位置では、ローラ支持板２７の揺動により、ローディングローラ２５が、ディスクの下面に接触するまで高く変位する。そして、このディスクはローディングローラ２５によりイジェクトされる。
ディスクをイジェクトした後に、ローディング待機の状態となる。イジェクトもしくはローディング待機の状態では、ドライブユニット９が、図示を省略した機構によりロアーシャーシ５にロックされる。【００２２】
本構成では、図１に示すように、挿入されるディスクの外周部に当接して当該挿入口２３の側方に退避する一対のゲート部材５９を、ディスクの挿入口２３に備えて構成されている。このゲート部材５９は、挿入口２３に対しほぼ中心振り分けで配置された一対のターンプレート６２，６３を備え、これらターンプレート６２，６３は、図６に示すように、アッパーシャーシ７の前部外面に、各々ピン（支持部材）６４，６５を介して連結されている。ターンプレート６２，６３は、ばね６０，６１により、閉じる方向（矢印Ａの方向）に付勢され、このターンプレート６２，６３には、挿入口２３に臨む一対のゲートピン６７，６８が取り付けられている。【００２３】
また、ターンプレート６２，６３の基部にはスライド孔６２Ａ，６３Ａがあけられ、このスライド孔６２Ａ，６３Ａに嵌るピン７１，７２が、連結プレート７３に各々取り付けられている。これらターンプレート６２，６３の基部同士は、連結プレート７３で連結されている。この連結プレート７３にはピン１７３が固定され、このピン１７３は、図９に示すように、アッパーシャーシ７の縦孔１０７に嵌り、アッパーシャーシ７の下面に臨んでいる。縦孔１０７の中程の両孔壁には、縦孔１０７の幅Ｗよりも拡径した円弧溝１０７Ａ，１０７Ｂが形成されている。また、図６に示すように、この連結プレート７３には、ディスクの挿入方向（矢印Ｚの方向）に延びた一対のガイド孔７４，７５が形成され、このガイド孔７４，７５に嵌る案内部７６，７７は、アッパーシャーシ７の一部を切り起こして、上方に立ち上げた後、水平に曲げて形成され、この立ち上げた細い部分がガイド孔７４，７５に嵌る。７８はアッパーシャーシ７に取り付けられたプレートであり、このプレート７８はターンプレート６２，６３の閉じ方向のストッパとして機能する。【００２４】
ディスクが挿入口２３に挿入された場合、ディスクは、上記ゲートピン６７，６８を側方に押し退ける。例えば、１２ｃｍ径の大きいディスク１００が挿入されると、図７に示すように、ディスク１００の外周部１００Ａが、一対のゲートピン６７，６８を挿入口２３の側方に押し退け、ターンプレート６２，６３が開く方向（矢印Ｂの方向）に回動する。この回動に伴い、ピン７１，７２が、スライド孔６２Ａ，６３Ａの中を移動し、これにより、ターンプレート６２，６３の揺動に連動し、連結プレート７３が、案内部７６，７７に沿ってディスク挿入方向（矢印Ｚの方向）に往復移動する。【００２５】
図８は、８ｃｍ径の小さいディスク２００を挿入する場合の斜視図である。この場合には、挿入口２３の幅に比してディスク径が小さいため、挿入口２３の一方の端に偏って挿入される恐れがある。例えば、ディスク２００が一方のゲートピン６７の側に偏って挿入された場合、他方のゲートピン６８をほとんど押し退けずに、一方のピン６７だけを押し退けた状態になる。この場合には、一方のゲートピン６７の側のターンプレート６２だけが開く方向（矢印Ｂの方向）に回動する。【００２６】
本構成では、他方のターンプレート６３が開かないで、一方のターンプレート６２だけが開く場合、連結プレート７３は、ピン７２の側が回動せずに、ピン７１の側だけが回動する。この場合、連結プレート７３が斜めになる。【００２７】
この連結プレート７３が斜めになると、図９Ｂを参照し、縦孔１０７を移動するピン１７３が、縦孔１０７の途中で傾いた方のいずれかの円弧溝１０７Ａ，１０７Ｂに嵌り、連結プレート７３が、それ以上、ディスク２００の挿入方向（矢印Ｚの方向）に移動しなくなり、従って、ターンプレート６２，６３のそれ以上の回動が阻止されて、ディスクの挿入が阻止される。この状態は、ディスク２００が他方のゲートピン６８の側に偏って挿入された場合も同様である。なお、ピン１７３及び円弧溝１０７Ａ，１０７Ｂがターンプレート６２，６３のロック手段を構成している。【００２８】
すなわち、本構成では、挿入口２３の端に偏ってディスク２００が挿入された場合、ピン１７３が円弧溝１０７Ａ，１０７Ｂに引っかかって抵抗となり、連結プレート７３がロックされる。これによれば、いわゆる挿入口２３の端に偏ったディスクの挿入が禁止される。従って、従来のような、片側に寄った状態で吸い込まれたディスクを本体の内側で中央に案内するための機構が不要になり、その分、装置を小型化でき、特に装置の厚さ方向の寸法を小さくできる。【００２９】
図９は、アッパーシャーシ７を裏側から見た斜視図である。
本実施の形態では、アッパーシャーシ７の内面に、アッパーシャーシ７の組み付け時に下方（ローディングローラ２５に相対する側）に突出して、挿入口２３に挿入されたディスクを下方（または上方）に案内する、２列に延びるガイドバー（案内機構）８１，８２が設けられている。【００３０】
これらガイドバー８１，８２は、挿入口２３の横方向に相互に平行に延出し、各々が、挿入口２３の端に向けて高さを徐々に大きくする。手前のガイドバー８１は、中心に近い位置ｍから突部８１Ａの高さを徐々に大きくし、奥のガイドバー８２は、それよりも端に寄った位置ｎから突部８２Ａの高さを徐々に大きくする。一対のガイドバー８１，８２にはローディングローラ２５が対向し、このローラ２５とガイドバー８１，８２とに挟持されて、ディスクがローディングされる。【００３１】
図１０は、８ｃｍ径のディスク２００を挿入した場合の断面図、図１１は、同じく斜視図、図１２は、１２ｃｍ径のディスク１００を挿入した場合の断面図、図１３は、同じく斜視図である。【００３２】
図１０に示すように、８ｃｍ径のディスク２００を挿入した場合、挿入口２３から挿入されたディスク２００は、ローディングローラ２５と、各ガイドバー８１，８２の低い突部８１Ａ，８２Ａとの間に挟持されて、本体１の内側の高所に位置する第１のローディング経路ＲＫ１に沿って、本体１の奥にローディングされる。第１のローディング経路ＲＫ１の終端部には、第１のディスク当接部８３が位置し、ディスク２００は、第１のディスク当接部８３に当接して停止し、この段階でディスク２００が、図１１に示すように、トリガープレート３１の一方の爪部３２を押動し、これをトリガーに、上述したように、ディスク２００のクランプ動作が実行される。【００３３】
図１２に示すように、１２ｃｍ径のディスク１００を挿入した場合、挿入口２３から挿入されたディスク１００は、ローディングローラ２５と、各ガイドバー８１，８２の高くなった突部８１Ａ，８２Ａとの間に挟持されて、本体１の内側の低所に位置する第２のローディング経路ＲＫ２に沿って、本体１の奥にローディングされる。図１３に示すように、１２ｃｍ径のディスク１００の外周（図中右奥）にはガイド部材３１１が当接可能に形成されている。このガイド部材３１１はピン３１０により回動自在に支持され、ばね３１２を介して、ピン３１０回りを時計方向に付勢されている。【００３４】
図１１に示すように、ガイド部材３１１の自由端の下面には、奥下がりのテーパ面３１３が形成され、１２ｃｍ径のディスク１００が挿入されると、まず、このテーパ面３１３に沿ってディスク１００の先端１００Ａが下方に向けられ、トリガープレート３１の一方の爪部３２が交わされる。そして、ディスク１００がさらに奥に進入すると、ガイド部材３１１が、ピン３１０回りを反時計方向に回動し、このガイド部材３１１がディスク１００の外周をガイドしつつ、安定したローディングが実行される。【００３５】
第２のローディング経路ＲＫ２の終端部には、第２のディスク当接部８４が位置しており、ディスク１００は、第２のディスク当接部８４に当接して停止して、この段階でディスク１００が、図１３に示すように、トリガープレート３１の他方の爪部３３を押動し、これをトリガーにして、上述したように、ディスク１００のクランプ動作が実行される。このクランプが完了すると、上記ガイド部材３１１の下面の突起３１４が、スイングプレート１７側の窪み（図示せず）に嵌合し、このガイド部材３１１が、ディスク１００の外周から離れて固定される。従って、演奏時に、ガイド部材３１１がディスク１００に接触することがない。【００３６】
上記第１のディスク当接部８３、及び第２のディスク当接部８４は一枚の板部材８５の両縁部で形成され、板部材８５の一方の縁部（第１のディスク当接部８３）が第１のローディング経路ＲＫ１の終端部に臨み、板部材８５の折り曲げた他方の縁部（第２のディスク当接部８４）が第２のローディング経路ＲＫ２の終端部に臨んでいる。一枚の板部材８５で第１のディスク当接部８３及び第２のディスク当接部８４を形成することから簡素な構成ですみ、装置が薄型化できる。【００３７】
本実施の形態では、本体１の内側に上下に分けて異なるローディング経路ＲＫ１、ローディング経路ＲＫ２を設けたため、従来のように、ローディング経路の終端部に、径の異なるディスクを保持するための複雑な機構を設ける必要がなくなり、装置の薄型化を実現できる。本構成は、例えば材質等が異なるディスクをローディングするディスクプレーヤにも適用でき、この場合、ローディング経路及びガイドバー８１，８２の形状、材質等に応じた工夫を施せば、ディスクに傷等がつくことがない。
【図１】
0004493714.tif 000002
【図２】
0004493714.tif 000003
【図３】
0004493714.tif 000004
【図４】
0004493714.tif 000005
【図５】
0004493714.tif 000006
【図６】
0004493714.tif 000007
【図７】
0004493714.tif 000008
【図８】
0004493714.tif 000009
【図９】
0004493714.tif 000010
【図１０】
0004493714.tif 000011
【図１１】
0004493714.tif 000012
【図１２】
0004493714.tif 000013
【図１３】
0004493714.tif 000014